(57)【要約】  保存容器セットが、プラスチックから成る複数種の蓋エレメント（２０，３０）と、１つの共通の容器エレメント（１０）とを備えていて、容器エレメント（１０）の側壁（１１）が、外側に向かって突出したロック突出部（１２）を有しており、該ロック突出部（１２）の外端部が、下側に向けられた係止プロファイル区分（１４）を有していて、択一的に装着可能な前記蓋エレメントをロックするために設けられている。第１の蓋エレメント（３０）は、前記ロック突出部（１２）に下方から係合する、枢着された係止クリップ（３１）を有する。第２の蓋エレメント（２０）は、その全周に沿って一貫して延びる縁部プロファイル（２１）を有していて、該縁部プロファイル（２１）は、前記容器エレメントへの装着時に、鉛直方向のプロファイル区分（２２）によって前記ロック突出部（１２）を外側から取り囲み、この場合、前記鉛直方向のプロファイル区分（２２）の端部に設けられたプロファイル舌片（２３）が、前記ロック突出部（１２）に下方からばね弾性的に係合して、前記鉛直方向のプロファイル区分（２２）を一時的に周方向に緊定する。
2014507343.tif 000002
【特許請求の範囲】
【請求項１】
プラスチックから成る少なくとも２種の蓋エレメント（２０，３０）と、１つの共通の容器エレメント（１０）とを備えた保存容器セット（１００；１００′）であって、前記容器エレメント（１０）の側壁（１１）が、外側に向かって突出した少なくとも１つのロック突出部（１２）を有しており、該ロック突出部（１２）の外端部が、下側に向けられた係止プロファイル区分（１４）を有しており、第１の蓋エレメント（３０）が、前記容器エレメント（１０）の前記ロック突出部（１２）に結合するための少なくとも２つの係止クリップ（３１）を有しており、該係止クリップ（３１）が、それぞれフィルムヒンジを介して前記第１の蓋エレメント（３０）の外縁部に結合されている保存容器セットにおいて、
第２の蓋エレメント（２０）が、全周に沿って延びる一貫した縁部プロファイル（２１）を有していて、該縁部プロファイル（２１）は、鉛直方向のプロファイル区分（２２）によって前記容器エレメント（１０）の前記ロック突出部（１２）を外側から取り囲んでおり、前記容器エレメント（１０）に前記第２の蓋エレメント（２０）が装着されると、前記縁部プロファイル（２１）の前記鉛直方向のプロファイル区分（２２）の端部に配置されているプロファイル舌片（２３）が、前記ロック突出部（１２）の前記係止プロファイル区分（１４）に下方からばね弾性的に係合するようになっており、前記プロファイル舌片（２３）を備えた前記第２の蓋エレメント（２０）の前記鉛直方向のプロファイル区分（２２）は、前記ロック突出部（１２）を乗り越える際に、周方向でテンションをかけられることを特徴とする保存容器セット（１００；１００′）。
【請求項２】
前記第２の蓋エレメント（２０）の装着時に、前記ロック突出部（１２）の前記係止プロファイル区分（１４）は、前記第２の蓋エレメント（２０）に設けられた前記プロファイル舌片（２３）によって容器壁（１１）の方向に押圧されかつ予荷重をかけられるようになっている、請求項１記載の保存容器セット（１００；１００′）。
【請求項３】
前記ロック突出部（１２）の前記係止プロファイル区分（１４）は、容器鉛直軸線に対してα＝１５〜３０゜の角度を成すように角度調整されている、請求項１または２記載の保存容器セット（１００；１００′）。
【請求項４】
前記容器エレメント（１０）は、５５〜７５のショアＤ硬度を有する硬質のポリプロピレンコポリマから成っており、前記第２の蓋エレメント（２０）は、４０〜５５のショアＤ硬度を有するフレキシブルなポリエチレンから成っている、請求項１から３までのいずれか１項記載の保存容器セット（１００；１００′）。
【請求項５】
容器壁（１１）の外側に沿って、一貫したロック突出部（１２）が延びている、請求項１から４までのいずれか１項記載の保存容器セット（１００；１００′）。
【請求項６】
容器壁の外側に、それぞれ互いに反対の側に位置する少なくとも２対のロック突出部が配置されている、請求項１から４までのいずれか１項記載の保存容器セット（１００；１００′）。
【発明の詳細な説明】
【技術分野】
【０００１】
本発明は、プラスチックから成る少なくとも２種の蓋エレメントと、１つの共通の容器エレメントとを備えた保存容器セットであって、前記容器エレメントが、外側に向かって突出した少なくとも１つのロック突出部を有しており、該ロック突出部の外端部が、下側に向けられた係止プロファイル区分（係止異形成形区分）を有しており、第１の蓋エレメントが、前記容器エレメントの前記ロック突出部に結合するための少なくとも２つの係止クリップを有しており、該係止クリップが、それぞれフィルムヒンジ（膜ヒンジ）を介して前記第１の蓋エレメントの外縁部に結合されている保存容器セットに関する。
【０００２】
容器と、係止クリップを備えた蓋エレメントとのこのような組合せは、ドイツ連邦共和国実用新案第２０３２００８８号明細書に開示されている。これによって、特に確実でかつ密な閉鎖部を得ることができ、このような閉鎖部は、たとえば液状の食品の運搬をも可能にする。係止クリップが閉じられる際には、はっきりと聞き取れる閉鎖音が発生し、この閉鎖音は、確実なロックが行われたことを使用者に報知する。
【０００３】
上で挙げた客観的な利点にもかかわらず、係止クリップを閉鎖するために加えられなければならない力は、子供やお年寄りのような特定の消費者層にとっては大き過ぎる。
【０００４】
本発明の課題は、冒頭で述べた保存容器セットのために、公知の容器エレメントと組合せ可能であるが、ただし閉鎖時にあまり大きな力を必要とせず、しかも保存容器セット内での容器と蓋とのこのような第２の配置構成においても、使用者のための音響的なフィードバックが生ぜしめられるような第２の蓋エレメントを提供することである。
【０００５】
この課題は、本発明によれば、容器エレメントのための第２の蓋エレメントが設けられていて、該第２の蓋エレメントが、全周に沿って延びる一貫した縁部プロファイル（縁部異形成形部）を有していて、該縁部プロファイルは、鉛直方向のプロファイル区分によって、自体公知の前記容器エレメントの前記ロック突出部を外側から取り囲んでいることにより解決される。容器エレメントへの第２の蓋エレメントの装着時では、プロファイル舌片を備えた第２の蓋エレメントのプロファイル区分が、前記ロック突出部を乗り越える際に、周方向でテンションをかけられる。最後に、前記プロファイル舌片が、容器エレメントに設けられた係止突出部の下にばね弾性的に係合する。
【０００６】
プリテンション（Vorspannung）は、第２の蓋エレメントの縁部プロファイルの、最も大きく内側に突出した部分が、容器エレメントに設けられたロック突出部の、最も大きく外側に突出したプロファイル区分を乗り越える瞬間に生ぜしめられる。次いで、第２の蓋エレメントのプロファイル舌片がこの地点を乗り越えたときに、プロファイル舌片は、ロック突出部の下方に衝撃的にばね弾性的に係合することができる。隣接した、蓋と容器とに設けられた面範囲は、このときに衝撃的に互いに衝突し合うので、これにより閉鎖音が得られる。
【０００７】
この効果は、容器エレメントに蓋エレメントが装着される瞬間に蓋エレメントだけが弾性的にプリテンションをかけられるのではなく、蓋エレメントに設けられたプロファイル舌片によってロック突出部の係止プロファイル区分も側壁の方向に押圧され、ひいては予荷重をかけられることによりさらに増幅され得る。
【０００８】
しかし、蓋エレメントの弾性率は、プロファイル舌片の絶対伸びが極めて小さくなるように調節されていると有利である。こうして、使用者は、方形の容器の場合には、常に１つの角隅にしか蓋を被せることができず、全ての角隅に同時に被せることはできなくなる。これにより、使用者は音響的なフィードバックを複数回も聞き取る。
【０００９】
容器エレメントにおいて、ロック突出部に設けられた係止プロファイル区分の弾性的な変形を可能にするためには、係止プロファイル区分が、ロック突出部に斜めに結合されていて、この場合に特に容器鉛直軸線に対してα＝１５〜３０゜、特に２５゜の角度を成すように斜めに角度調整されて外側下方に向かって延びている。
【００１０】
容器エレメントには、側壁の外面に沿って、一貫した１つのロック突出部が延びていてよい。
【００１１】
択一的には、側壁の外面に、それぞれ互いに反対の側に位置する少なくとも２対のロック突出部が配置されていてよい。
【００１２】
以下に、本発明を図面につき詳しく説明する。図面には、それぞれ保存容器セットの一部として第２の蓋エレメントを備えた容器が示されている。
【図面の簡単な説明】
【００１３】
【図１】蓋エレメントを備えた保存容器の斜視図である。
【図２】断面図である。
【図３】図２に示した縁部プロファイルの詳細図である。
【図４】蓋を備えた保存容器を上から見た斜視図である。
【図５】蓋を備えた保存容器の断面図である。
【００１４】
図１には、特に家庭において鮮度保持容器として使用されるような、上方に向かって開いた深皿形の容器エレメント１０が図示されている。保存容器セットの合計少なくとも２種の蓋エレメントのうちの１つの蓋エレメント、すなわち第２の蓋エレメント２０が装着されている。
【００１５】
保存容器の容器エレメント１０の図示の実施形態は、外面に一体成形された積重ね補助手段１５を有する。複数の容器エレメント１０が互いに内外に嵌め合わされる場合、積重ね補助手段１５はストッパを形成し、そして容器が互いに内外にひっかかって固着してしまうことを阻止する。さらに、空気循環が可能となる。なぜならば、互いに内外に積み重ねられた容器エレメント１０は、もはや互いに対して空気密に閉じないからである。
【００１６】
さらに、容器エレメント１０は、図示の有利な実施形態では、スケール範囲１６を有する。
【００１７】
第２の蓋エレメント２０は縁部プロファイル２１を有する。この縁部プロファイル２１は、特に図２に示した断面図ならびに図３に示した縁範囲の拡大図に見えているように、容器エレメント１０の縁範囲を完全に取り囲んで把持している。
【００１８】
容器エレメント１０の側壁１１は、終端に上縁１３を有する。この上縁１３は、特に第２の蓋エレメント２０に設けられたシールリングまたはシール面のための当付け部として働く。
【００１９】
側壁１１の外面には、ロック突出部１２が配置されている。このロック突出部１２は第１のプロファイル区分によって側壁１１に垂直に付設されている。第１のプロファイル区分には、係止プロファイル区分１４が続いており、この係止プロファイル区分１４は斜め外側に下方に向かって延びていて、容器垂直軸線に対して特に約１５〜３０゜、特に２５゜の角度に調整されている。
【００２０】
第２の蓋エレメント２０の縁部プロファイル２１は、容器エレメント１０の上縁１３よりも少しだけ低く位置する中央の範囲から、上方へ向かって上縁１３よりも上にまで延び、次いで鉛直方向のプロファイル区分２２でもって外側で側壁１１に対して平行に再び降下して延びており、しかもこの場合、縁部プロファイル２１が、容器エレメント１０の、外側へ向かって突出した係止プロファイル区分１４をも完全に取り囲んで把持するような間隔を持って延びている。
【００２１】
プロファイル区分２２の下端部は、内側に向けられたプロファイル舌片２３を有する。プロファイル舌片２３は、必ずしも長尺のプロファイル区分である必要はなく、本実施形態に図示されているような、プロファイル区分２２の下端部に設けられた厚肉化された範囲で十分である。
【００２２】
このようなプロファイル舌片２３は、１本の紐のように１回で、蓋エレメント２０の縁部プロファイルの下縁に沿って全周にわたって延びており、そしてプロファイル舌片２３が、容器エレメント１０に設けられた突出した係止プロファイル区分１４もしくは係止舌片を擦過しながら乗り越えようとする際に周方向にテンションをかけられる。プロファイル舌片２３がこの点を通過した後に、プロファイル舌片２３は衝撃的にリバウンドする。このときに、プロファイル区分２２の隣接した範囲が、係止プロファイル区分１４もしくは係止舌片に衝突するので、衝突音が発生し、この衝突音は使用者に、容器が確実に閉鎖されたことを報知する。
【００２３】
蓋エレメントは、比較的軟質でフレキシブルなプラスチック、たとえば特に４０...５０ショアＤ硬度、特に約４８ショアＤ硬度を有するポリエチレンから成っていて、それに対して容器エレメントは、硬質のプラスチック、特に５５...７５ショアＤ硬度、特に６０...７０ショアＤ硬度を有するポリプロピレンコポリマから成っているので、容器エレメント１０の上縁１３が蓋エレメント２０の軟らかいプラスチックに押圧されると、良好なシールが達成される。上縁１３を越えて延びる範囲における蓋エレメントのプロファイル形状は、鉛直方向におけるプリテンションを促進する。すなわち、第２の蓋エレメント２０の縁部プロファイルが係止プロファイル区分１４の下にばね弾性的に係合すると、音響的なフィードバックを生ぜしめる周方向における短時間の収縮作用が達成されるだけでなく、係止結合が成立している限り、上縁１３への蓋エレメント２０の永続的な付勢力も達成される。
【００２４】
図４には、保存容器セットからの自体公知の第１の蓋エレメント３０と容器エレメント１０との組合せが示されている。方形の第１の蓋エレメント３０は複数の係止クリップ３１を有している。
【００２５】
図５には、図４に示した組合せが断面図で示されている。第１の蓋エレメント３０が押し被される際に、第１の蓋エレメント３０の係止縁３６が、保存容器に設けられた係止プロファイル区分１４の先端を通過するやいなや、係止縁３６は係止突出部３２もしくは係止プロファイル区分の下にひっかかり、これによって第１の蓋エレメント３０を容器エレメント１０にしっかりと保持する。この場合にも、蓋エレメントに設けられたフレキシブルな範囲３４が容器上縁に押圧されることにより、シールが達成される。係止プロファイル区分１４を越えて下方へ張り出した端部を引っ張ることによって、係止クリップ３１を再び係止解除することができる。
【図１】
2014507343.tif 000003
【図２】
2014507343.tif 000004
【図３】
2014507343.tif 000005
【図４】
2014507343.tif 000006
【図５】
2014507343.tif 000007
【国際調査報告】
2014507343.tif 000008
2014507343.tif 000009
2014507343.tif 000010
2014507343.tif 000011
2014507343.tif 000012
2014507343.tif 000013